Podtech/llm-jp-corpus-v4-ja_patent huggingface dataset:
【手続補正書】
【提出日】平成26年4月23日(2014.4.23)
【手続補正１】
【補正対象書類名】特許請求の範囲
【補正対象項目名】全文
【補正方法】変更
【補正の内容】
【特許請求の範囲】
【請求項１】
描画データに含まれる所定の属性の複数のオブジェクトを抽出する抽出手段と、
前記描画データの解像度の座標系における、前記抽出手段によって抽出された複数のオブジェクトの基準画素の座標を取得する取得手段と、
前記取得手段によって取得された複数の基準画素の位相が一致するように、前記複数のオブジェクトを構成する画素の座標を補正する補正手段と
を有することを特徴とする画像処理装置。
【請求項２】
前記補正手段によって座標が補正されたオブジェクトを含む描画データの描画処理を行う処理手段と、
前記処理手段によって描画処理された描画処理後のデータの解像度を該解像度よりも低い解像度に変換する変換手段と
を更に有することを特徴とする請求項１に記載の画像処理装置。
【請求項３】
前記補正手段は、前記基準画素の座標と前記変換手段における解像度変換前後の解像度の比とに基づき補正量ベクトルを算出し、該算出された補正量ベクトルを用いて前記オブジェクトを構成する画素の座標を補正することを特徴とする請求項２に記載の画像処理装置。
【請求項４】
抽出手段が、描画データに含まれる所定の属性の複数のオブジェクトを抽出する抽出工程と、
取得手段が、前記描画データの解像度の座標系における、前記抽出工程にて抽出された複数のオブジェクトの基準画素の座標を取得する取得工程と、
補正手段が、前記取得工程にて取得された複数の基準画素の位相が一致するように、前記複数のオブジェクトを構成する画素の座標を補正する補正工程と
を有することを特徴とする画像処理方法。
【請求項５】
コンピュータを、
描画データに含まれる所定の属性の複数のオブジェクトを抽出する抽出手段、
前記描画データの解像度の座標系における、前記抽出手段によって抽出された複数のオブジェクトの基準画素の座標を取得する取得手段、
前記取得手段によって取得された複数の基準画素の位相が一致するように、前記複数のオブジェクトを構成する画素の座標を補正する補正手段
として機能させるためのプログラム。
【手続補正２】
【補正対象書類名】明細書
【補正対象項目名】００１１
【補正方法】変更
【補正の内容】
【００１１】
上記課題を解決するために、本発明の画像処理装置は以下の構成を有する。すなわち、画像処理装置であって、描画データに含まれる所定の属性の複数のオブジェクトを抽出する抽出手段と、前記描画データの解像度の座標系における、前記抽出手段によって抽出された複数のオブジェクトの基準画素の座標を取得する取得手段と、前記取得手段によって取得された複数の基準画素の位相が一致するように、前記複数のオブジェクトを構成する画素の座標を補正する補正手段とを有する。
【手続補正書】
【提出日】平成26年4月18日(2014.4.18)
【手続補正１】
【補正対象書類名】特許請求の範囲
【補正対象項目名】全文
【補正方法】変更
【補正の内容】
【特許請求の範囲】
【請求項１】
入力信号の特性を分析し、分析特徴量を生成する分析部と、
前記分析特徴量と、学習により生成された、前記分析特徴量からマッピング制御情報を得るための情報とに基づいて、前記マッピング制御情報を決定するマッピング制御情報決定部と、
前記マッピング制御情報により定まる線形または非線形なマッピング関数に基づいて前記入力信号を振幅変換し、出力信号を生成するマッピング処理部と
を備える信号処理装置。
【請求項２】
前記マッピング制御情報を得るための情報は、前記信号処理装置ごとに学習されたものである
請求項１に記載の信号処理装置。
【請求項３】
前記マッピング制御情報を得るための情報は、前記分析特徴量から前記マッピング制御情報を求める関数を得るための情報、または前記分析特徴量から前記マッピング制御情報を得るためのテーブルである
請求項１または請求項２に記載の信号処理装置。
【請求項４】
前記関数は、前記分析特徴量と無相関な項を有する
請求項３に記載の信号処理装置。
【請求項５】
前記分析部は、学習用の学習音源信号の特性を分析して前記分析特徴量を生成し、
前記学習音源信号の前記分析特徴量と、ユーザにより前記学習音源信号に付与された前記マッピング制御情報とを用いた学習により、前記マッピング制御情報を得るための情報を生成する学習部をさらに備える
請求項１乃至請求項４の何れかに記載の信号処理装置。
【請求項６】
前記分析特徴量は、前記入力信号の二乗平均、前記入力信号の二乗平均を対数化したもの、前記入力信号の二乗平均平方根、前記入力信号の二乗平均平方根を対数化したもの、または前記入力信号の零交差率である
請求項１乃至請求項５の何れかに記載の信号処理装置。
【請求項７】
前記分析部は、複数のチャンネルごとに前記入力信号に対する振幅変換が行なわれて、各チャンネルの前記出力信号が生成される場合、前記複数のチャンネルの前記入力信号に基づいて、全チャンネルで共通する１つの前記分析特徴量を生成する
請求項１乃至請求項５の何れかに記載の信号処理装置。
【請求項８】
前記入力信号を複数の周波数帯域の信号に分割する帯域分割部をさらに備え、
前記分析部は、前記信号の二乗平均、前記信号の二乗平均を対数化したもの、前記信号の二乗平均平方根、または前記信号の二乗平均平方根を対数化したものを重み付き加算することで前記分析特徴量を生成する
請求項１乃至請求項５の何れかに記載の信号処理装置。
【請求項９】
入力信号の特性を分析し、分析特徴量を生成する分析部と、
前記分析特徴量と、学習により生成された、前記分析特徴量からマッピング制御情報を得るための情報とに基づいて、前記マッピング制御情報を決定するマッピング制御情報決定部と、
前記マッピング制御情報により定まる線形または非線形なマッピング関数に基づいて前記入力信号を振幅変換し、出力信号を生成するマッピング処理部と
を備える信号処理装置の信号処理方法であって、
前記分析部が前記分析特徴量を生成し、
前記マッピング制御情報決定部が前記マッピング制御情報を決定し、
前記マッピング処理部が前記出力信号を生成する
ステップを含む信号処理方法。
【請求項１０】
入力信号の特性を分析し、分析特徴量を生成し、
前記分析特徴量と、学習により生成された、前記分析特徴量からマッピング制御情報を得るための情報とに基づいて、前記マッピング制御情報を決定し、
前記マッピング制御情報により定まる線形または非線形なマッピング関数に基づいて前記入力信号を振幅変換し、出力信号を生成する
ステップを含む処理をコンピュータに実行させるプログラム。
【請求項１１】
入力信号の特性を分析して分析特徴量を生成し、
前記分析特徴量と、学習により生成された、前記分析特徴量からマッピング制御情報を得るための情報とに基づいて、前記マッピング制御情報を決定し、
前記マッピング制御情報により定まる線形または非線形なマッピング関数に基づいて前記入力信号を振幅変換する
ことで得られた出力信号が記録されたデータ記録媒体。
【手続補正書】
【提出日】平成26年4月23日(2014.4.23)
【手続補正１】
【補正対象書類名】特許請求の範囲
【補正対象項目名】全文
【補正方法】変更
【補正の内容】
【特許請求の範囲】
【請求項１】
比較元画像の部分画像である基準画像を比較先画像で探索することにより被写体追尾を行う画像処理装置であって、
前記基準画像と、前記比較先画像における、前記基準画像に対応する領域の部分画像を含む複数の部分画像の各々とについて、各画素の輝度値を補正する補正手段と、
前記補正手段が補正した前記複数の部分画像から、前記補正手段が補正した前記基準画像との相関度に基づいて前記比較先画像における被写体領域を選択する選択手段と、を有し、
前記補正手段は、前記基準画像および前記複数の部分画像の各々について、画素の最大輝度値が同一の輝度値となるように、各画素の輝度値を補正することを特徴とする画像処理装置。
【請求項２】
前記補正手段が、前記基準画像および前記複数の部分画像の各々について、画素の最大輝度値が、輝度データの取りうる最大値となるように、各画素の輝度値を補正することを特徴とする請求項１記載の画像処理装置。
【請求項３】
前記比較元画像及び比較先画像を撮像した撮像レンズの周辺光量落ち特性を示す情報を用いて、前記基準画像と前記複数の部分画像の各々とについて、前記補正手段による補正を行うか否かを判定する判定手段をさらに有し、
前記補正手段は、前記基準画像と前記複数の部分画像のうち、前記判定手段により補正を行うと判定された画像に対して前記補正を行うことを特徴とする請求項１又は請求項２に記載の画像処理装置。
【請求項４】
前記撮像レンズの周辺光量落ち特性を示す情報が、前記撮像レンズの視野を分割した複数の領域の各々と、周辺光量落ちを補正するための最大ゲインとを対応付けた情報であり、
前記判定手段は、前記基準画像と前記複数の部分画像の各々との組み合わせについて、前記基準画像と前記部分画像とが前記複数の領域のうち同じ領域に存在するが、該領域に対応付けられた前記最大ゲインが予め定めたしきい値を超える場合に、前記基準画像と該部分画像に対して補正を行うと判定することを特徴とする請求項３記載の画像処理装置。
【請求項５】
前記比較元画像及び比較先画像を撮像した撮像レンズの視野を分割した複数の領域の各々と、周辺光量落ちを補正するための最大ゲインとを対応付けた情報を記憶する記憶手段をさらに有し、
前記補正手段は、前記基準画像および前記複数の部分画像の各々について、画素の最大輝度値が前記同一の輝度値となるように各画素の輝度値を補正する代わりに、前記複数の領域のうち前記基準画像と前記複数の部分画像が存在する領域に対応付けられた前記最大ゲインを用いて各画素の輝度値を補正することを特徴とする請求項１記載の画像処理装置。
【請求項６】
前記選択手段が、前記補正手段が補正した前記複数の部分画像のうち、前記補正手段が補正した前記基準画像との相関度が最も高いものを前記比較先画像における被写体領域として選択することを特徴とする請求項１乃至請求項５のいずれか１項に記載の画像処理装置。
【請求項７】
請求項１乃至請求項６の何れか１項に記載の画像処理装置と、
光学系によって結像される光学像を光電変換する撮像素子と、
前記撮像素子から出力されたアナログ画像信号をデジタル画像信号に変換するＡ／Ｄ変換手段を有することを特徴とするデジタルカメラ。
【請求項８】
比較元画像の部分画像である基準画像を比較先画像で探索することにより被写体追尾を行う画像処理装置の制御方法であって、
前記画像処理装置の補正手段が、前記基準画像と、前記比較先画像における、前記基準画像に対応する領域の部分画像を含む複数の部分画像の各々とについて、各画素の輝度値を補正する補正工程と、
前記画像処理装置の選択手段が、前記補正工程において補正された前記複数の部分画像から、前記補正工程において補正された前記基準画像との相関度に基づいて前記比較先画像における被写体領域を選択する選択工程と、を有し、
前記補正工程において前記補正手段は、前記基準画像および前記複数の部分画像の各々について、画素の最大輝度値が同一の輝度値となるように、各画素の輝度値を補正することを特徴とする画像処理装置の制御方法。
【請求項９】
コンピュータを、請求項１乃至請求項６のいずれか１項に記載の画像処理装置の各手段として機能させるためのプログラム。
【手続補正２】
【補正対象書類名】明細書
【補正対象項目名】０００８
【補正方法】変更
【補正の内容】
【０００８】
上述の目的は、比較元画像の部分画像である基準画像を比較先画像で探索することにより被写体追尾を行う画像処理装置であって、基準画像と、比較先画像における、基準画像に対応する領域の部分画像を含む複数の部分画像の各々とについて、各画素の輝度値を補正する補正手段と、補正手段が補正した複数の部分画像から、補正手段が補正した基準画像との相関度に基づいて比較先画像における被写体領域を選択する選択手段と、を有し、補正手段は、基準画像および複数の部分画像の各々について、画素の最大輝度値が同一の輝度値となるように、各画素の輝度値を補正することを特徴とする画像処理装置によって達成される。
【手続補正書】
【提出日】平成26年3月25日(2014.3.25)
【手続補正１】
【補正対象書類名】明細書
【補正対象項目名】００３３
【補正方法】変更
【補正の内容】
【００３３】
＜＜リッド部１１の構成＞＞
図１に示されたように、リッド部１１はガラス又は水晶材料で形成され、その−Ｙ’側の面の外周に第１端面Ｍ１を有している。また、第１端面Ｍ１の全周の内側にはＹ’軸方向で第１端面Ｍ１から凹んだリッド凹部１１１が形成されている。
【手続補正２】
【補正対象書類名】明細書
【補正対象項目名】００３９
【補正方法】変更
【補正の内容】
【００３９】
ステップＳ１０では、水晶振動片１０が製造される。ステップＳ１０はステップＳ１０１及びＳ１０２を含んでいる。
ステップＳ１０１において、図６及び図７に示されたように、均一の水晶ウエハ１０Ｗにエッチングにより複数の水晶振動片１０の外形が形成される。具体的には、各水晶振動片１０に振動部１０１、連結部１０４ａ、１０４ｂ及び外枠部１０８を形成するように、水晶ウエハ１０Ｗを貫通した貫通開口部１０５が形成される。同時に、各水晶振動片１０のＸ軸方向の両辺に水晶ウエハ１０Ｗを貫通した角丸長方形の貫通孔ＣＨが２つずつ形成される。ここで、貫通孔ＣＨが半分に分割されると１つのキャスタレーション１０６ａ〜１０６ｄ（図１を参照）になる。
【手続補正３】
【補正対象書類名】明細書
【補正対象項目名】００４０
【補正方法】変更
【補正の内容】
【００４０】
ステップＳ１０２において、まずスパッタリングまたは真空蒸着によって水晶ウエハ１０Ｗの両面及び側面にクロム（Ｃｒ）層及び金（Ａｕ）層が順に形成される。そして、金属層の全面にフォトレジストが均一に塗布される。その後、露光装置（図示しない）を用いて、フォトマスクに描かれた励振電極、引出電極のパターンが水晶ウエハ１０Ｗに露光される。次に、フォトレジストから露出した金属層がエッチングされる。
これにより、図６及び図７に示されたように水晶ウエハ１０Ｗにおける振動部１０１の中央領域の両面に励振電極１０２ａ、１０２ｂが形成され、振動部１０１の縁部、連結部１０４ａ、１０４ｂ及び外枠部１０８に引出電極１０３ａ、１０３ｂ及び接続パッド１０７Ｍが形成される。同時に、貫通孔ＣＨに側面電極１０７ａ、１０７ｂが形成される。
【手続補正４】
【補正対象書類名】明細書
【補正対象項目名】００５０
【補正方法】変更
【補正の内容】
【００５０】
ステップＳ１４では、一対の周波数測定用のプローブＰＢ１，ＰＢ２（図６を参照）を同じ水晶振動片１０の励振電極１０２ａに接続される引出電極１０３ａと励振電極１０２ｂに接続される接続パッド１０７Ｍ（引出電極１０３ｂに導電される）とにそれぞれ当接し、１つ１つの水晶振動片１０の振動周波数が測定される。
【手続補正５】
【補正対象書類名】特許請求の範囲
【補正対象項目名】請求項４
【補正方法】変更
【補正の内容】
【請求項４】
前記第１厚さの励振電極は前記振動部の一方の片面に形成され、
前記振動部の他方の片面には、前記第１厚さの励振電極と対応するように前記第２厚さの励振電極が形成されている請求項１から請求項３のいずれか一項に記載の圧電振動片。
【手続補正６】
【補正対象書類名】特許請求の範囲
【補正対象項目名】請求項９
【補正方法】変更
【補正の内容】
【請求項９】
前記電極を薄くする工程は、イオンを前記励振電極及び前記引出電極に照射するイオンミリングを含み、
前記イオンを照射するマスク開口の一部が前記連結部と重なり合う請求項７又は請求項８に記載の圧電デバイスの製造方法。
【手続補正７】
【補正対象書類名】図面
【補正対象項目名】図１１
【補正方法】変更
【補正の内容】
【図１１】
2012235365.tif 000001
【手続補正書】
【提出日】平成26年1月24日(2014.1.24)
【手続補正１】
【補正対象書類名】特許請求の範囲
【補正対象項目名】全文
【補正方法】変更
【補正の内容】
【特許請求の範囲】
【請求項１】
時分割され、送信タイミングが一定の周期となるように定められた複数の時多重パターンのひとつ又は複数を用いて、複数の基地局が端末と通信する無線通信システムにおける前記基地局であって、
少なくとも該周期内の各時多重パターンにおける上り干渉電力を測定する干渉測定部と、
測定された上り干渉電力が最小又は予め定められた閾値より小さい時多重パターンを、上り通信に用いる上り時多重パターンとし、決定された上り時多重パターンから予め定められたタイミングだけシフトしたタイミングの時多重パターンを、下り通信に用いる下り時多重パターンとする時多重パターン決定部と、
決定された上り及び下り時多重パターンを用いて前記端末と通信する通信処理部と
を備え、
前記干渉測定部は、自基地局と通信する第１端末の上り通信を止めて、他の基地局に所属するひとつ又は複数の第２端末からの上り干渉電力を測定する前記基地局。
【請求項２】
時分割され、送信タイミングが一定の周期となるように定められた複数の時多重パターンのひとつ又は複数を用いて、複数の基地局が端末と通信する無線通信システムにおける前記基地局であって、
少なくとも該周期内の各時多重パターンにおける上り干渉電力を測定する干渉測定部と、
測定された上り干渉電力が最小又は予め定められた閾値より小さい時多重パターンを、上り通信に用いる上り時多重パターンとし、決定された上り時多重パターンから予め定められたタイミングだけシフトしたタイミングの時多重パターンを、下り通信に用いる下り時多重パターンとする時多重パターン決定部と、
決定された上り及び下り時多重パターンを用いて前記端末と通信する通信処理部と
を備え、
決定された下り時多重パターンに下りの制御チャネル及びデータチャネルの双方を集中的に割り当て、決定された下り時多重パターン以外の時多重パターンでは、参照信号と報知情報を含む信号を送信する前記基地局。
【請求項３】
時分割され、送信タイミングが一定の周期となるように定められた複数の時多重パターンのひとつ又は複数を用いて、複数の基地局が端末と通信する無線通信システムにおける前記基地局であって、
少なくとも該周期内の各時多重パターンにおける上り干渉電力を測定する干渉測定部と、
測定された上り干渉電力が最小又は予め定められた閾値より小さい時多重パターンを、上り通信に用いる上り時多重パターンとし、決定された上り時多重パターンから予め定められたタイミングだけシフトしたタイミングの時多重パターンを、下り通信に用いる下り時多重パターンとする時多重パターン決定部と、
決定された上り及び下り時多重パターンを用いて前記端末と通信する通信処理部と
を備え、
前記時多重パターン決定部は、前記端末が下り通信に対する応答を、決定された上り時多重パターンで送信するように設定されたシフト量に従い、該下り通信で用いる前記下り時多重パターンを決定する前記基地局。
【請求項４】
前記時多重パターン決定部は、前記干渉測定部により定期的又は不定期に測定された上り干渉電力が予め定められた閾値を超える又は下回ることを検出すると、上り及び下り時多重パターンの割当を行う請求項１乃至３のいずれかに記載の基地局。
【請求項５】
前記時多重パターン決定部は、前記端末から報告される下り通信品質情報に従い、下り通信品質が所定以上変化したことを検出すると、上り及び下り時多重パターンの割当を行う請求項１乃至３のいずれかに記載の基地局。
【請求項６】
前記時多重パターン決定部は、前記端末から報告される下りチャネル品質を示す指標の統計値に従い、下り通信品質が所定以上変化したことを検出する請求項５に記載の基地局。
【請求項７】
前記時多重パターン決定部は、前記端末からのＡＣＫ信号の発生確率により、又は、該ＡＣＫ信号の発生確率に基づくアウターループ制御の制御結果により下り通信品質が所定以上変化したことを検出する請求項５に記載の基地局。
【請求項８】
前記時多重パターン決定部は、前記基地局と前記端末とのトラフィックの指標が予め定められた閾値を超える又は下回ることを検出すると、上り及び下り時多重パターンの割当を行う請求項１乃至３のいずれかに記載の基地局。
【請求項９】
前記時多重パターン決定部は、前記トラフィックの指標として自基地局の端末接続数を用いる請求項８に記載の基地局。
【請求項１０】
前記時多重パターン決定部は、前記トラフィックの指標として、上位装置とのコネクション数又は接続ユーザ数を用いる請求項８に記載の基地局。
【請求項１１】
前記時多重パターン決定部は、前記トラフィックの指標として、自基地局の送信待ちバッファサイズ又は空きバッファサイズを用いる請求項８に記載の基地局。
【手続補正書】
【提出日】平成26年4月17日(2014.4.17)
【手続補正１】
【補正対象書類名】特許請求の範囲
【補正対象項目名】全文
【補正方法】変更
【補正の内容】
【特許請求の範囲】
【請求項１】
画像を表示可能な表示部を備えた表示装置であって、
被写体を撮像して該被写体の画像データを生成する撮像部と、
ＧＰＳ信号を受信するＧＰＳ信号受信部と、
前記ＧＰＳ信号受信部が受信したＧＰＳ信号を用いて当該表示装置の位置を定期的に測定する測位部と、
前記測位部が異なる２つの時刻に測定した位置を用いて撮像時の当該表示装置の位置を算出するとともに、この算出結果を用いて前記被写体の位置を算出する位置算出部と、
複数のランドマークの位置および名称に関する情報を記憶するランドマーク情報記憶部と、
前記位置算出部が算出した前記被写体の位置に対応するランドマークを前記ランドマーク情報記憶部から検索する検索部と、
前記検索部が検索して取得したランドマークの名称に関する情報を前記画像データに対応する画像に合成する画像合成部と、
前記画像合成部が合成した合成画像を前記表示部に表示させる表示制御部と、
を備えたことを特徴とする表示装置。
【請求項２】
前記画像合成部が合成に用いる前記画像は、前記撮像部が生成する前記画像データに対応してリアルタイムで前記表示部に表示されるスルー画像であることを特徴とする請求項１に記載の表示装置。
【請求項３】
撮影指示信号を入力可能な操作入力部を備え、
前記画像合成部が合成に用いる前記画像は、前記操作入力部による撮影指示信号の入力に応じて前記撮像部が生成した前記画像データに対応するレックビュー画像であることを特徴とする請求項１または２に記載の表示装置。
【請求項４】
地図を含む地図情報を記憶する地図情報記憶部と、
当該表示装置の姿勢を検出する姿勢検出部と、
前記姿勢検出部が検出した結果に基づいて、当該表示装置が前記地図上の当該表示装置の位置を表示する位置表示姿勢をとっているか否かを少なくとも判定する姿勢判定部と、
をさらに備え、
前記画像合成部は、
前記姿勢判定部が判定した結果、当該表示装置が位置表示姿勢をとっている場合、前記地図情報記憶部が記憶する地図情報に基づいて、当該表示装置の位置を含む領域の地図および該地図上の当該表示装置の位置を示す画像を合成することを特徴とする請求項１〜３のいずれか一項に記載の表示装置。
【請求項５】
画像を表示可能な表示装置に、
被写体を撮像して該被写体の画像データを生成する撮像ステップと、
ＧＰＳ信号を受信するＧＰＳ信号受信ステップと、
前記ＧＰＳ信号受信ステップで受信したＧＰＳ信号を用いて当該表示装置の位置を定期的に測定する測位ステップと、
前記測位ステップで異なる２つの時刻に測定した位置を用いて撮像時の当該表示装置の位置を算出するとともに、この算出結果を用いて前記被写体の位置を算出する位置算出ステップと、
前記位置算出ステップで算出した前記被写体の位置に対応するランドマークを、複数のランドマークの位置および名称に関する情報を記憶するランドマーク情報記憶部から検索する検索ステップと、
前記検索ステップで検索して取得したランドマークの名称に関する情報を前記画像データに対応する画像に合成する画像合成ステップと、
前記画像合成ステップで合成した合成画像を表示する表示ステップと、
を実行させることを特徴とする表示プログラム。
【手続補正書】
【提出日】平成26年4月7日(2014.4.7)
【手続補正１】
【補正対象書類名】明細書
【補正対象項目名】発明の名称
【補正方法】変更
【補正の内容】
【発明の名称】画像処理装置、画像処理方法及びプログラム
【手続補正２】
【補正対象書類名】明細書
【補正対象項目名】０００１
【補正方法】変更
【補正の内容】
【０００１】
本発明は、画像処理装置、画像処理方法及びプログラムに関する。
【手続補正３】
【補正対象書類名】明細書
【補正対象項目名】０００７
【補正方法】変更
【補正の内容】
【０００７】
上記目的を達成するため、本発明の一態様の画像処理装置は、同一の被写体を含む複数の撮像画像のデータを取得する画像取得手段と、前記画像取得手段により取得された前記複数の撮像画像のデータ毎に、前記被写体の動きに関する所定の条件を満たすか否かを判定する条件判定手段と、前記条件判定手段の判定結果に基づいて、前記画像取得手段により取得された前記複数の撮像画像のデータの中から、画像合成を行う際に基準となる合成基準画像のデータを選択する合成基準画像選択手段と、前記画像取得手段により取得された前記複数の撮像画像のデータのうち、前記合成基準画像選択手段により選択された前記合成基準画像のデータを含む２以上の撮像画像のデータを処理対象として、当該合成基準画像を基準とするマルチプレーン加算方式に従った画像合成処理を実行することによって、合成画像のデータを生成する合成手段と、を備えることを特徴とする。
【手続補正４】
【補正対象書類名】明細書
【補正対象項目名】００３９
【補正方法】変更
【補正の内容】
【００３９】
ステップＳ１６において、条件判定部５１は、計８枚の撮像画像の各データの位置合わせを行う。
具体的には、条件判定部５１は、時間的に中央の撮像画像のデータを位置合わせ基準として設定し、その位置合わせ基準画像のデータの位置への射影変換行列を、位置合わせ基準画像以外の各撮像画像のデータに対して求める。そして、条件判定部５１は、当該射影変換行列を各撮像画像のデータに対してかけることで、各データの位置合わせを行う。
【手続補正５】
【補正対象書類名】特許請求の範囲
【補正対象項目名】全文
【補正方法】変更
【補正の内容】
【特許請求の範囲】
【請求項１】
同一の被写体を含む複数の撮像画像のデータを取得する画像取得手段と、
前記画像取得手段により取得された前記複数の撮像画像のデータ毎に、前記被写体の動きに関する所定の条件を満たすか否かを判定する条件判定手段と、
前記条件判定手段の判定結果に基づいて、前記画像取得手段により取得された前記複数の撮像画像のデータの中から、画像合成を行う際に基準となる合成基準画像のデータを選択する合成基準画像選択手段と、
前記画像取得手段により取得された前記複数の撮像画像のデータのうち、前記合成基準画像選択手段により選択された前記合成基準画像のデータを含む２以上の撮像画像のデータを処理対象として、当該合成基準画像を基準とするマルチプレーン加算方式に従った画像合成処理を実行することによって、合成画像のデータを生成する合成手段と、
を備えることを特徴とする画像処理装置。
【請求項２】
前記条件判定手段は、前記所定の条件の少なくとも１つとして、被写体ブレに関する条件を満たすか否かを判定する、
ことを特徴とする請求項１に記載の画像処理装置。
【請求項３】
前記条件判定手段は、前記複数の撮像画像の微分画像のデータを用いて、前記被写体ブレの識別を行い、当該識別の結果に基づいて、前記被写体ブレに関する条件を満たすか否かを判定する、
ことを特徴とする請求項２に記載の画像処理装置。
【請求項４】
前記条件判定手段は、前記被写体が人物である場合、当該人物の目における被写体ブレについて、前記被写体ブレに関する条件を満たすか否かを判定する、
ことを特徴とする請求項２又は３に記載の画像処理装置。
【請求項５】
前記条件判定手段は、前記被写体が人物である場合、当該人物の目をつぶっていないという条件を満たすか否かを判定する、
ことを特徴とする請求項１乃至４のうち何れか１項に記載の画像処理装置。
【請求項６】
前記条件判定手段は、前記複数の撮像画像が撮像されたときの撮像条件に関する条件を満たすか否かを判定する、
ことを特徴とする請求項１乃至５のうち何れか１項に記載の画像処理装置。
【請求項７】
前記条件判定手段は、前記撮像条件に関する条件として、シャッタ時間に関する条件を満たすか否かを判定する、
ことを特徴とする請求項６に記載の画像処理装置。
【請求項８】
前記画像取得手段は、前記複数の撮影画像の各々を撮像する際のシャッタ時間を、適正露出に対応するシャッタ時間に対して所定の割合で短くした撮影条件を設定し、
前記条件判定手段は、前記撮像条件に関する条件として、所定基準に対してシャッタ時間が短いという条件を満たすか否かを判定することを特徴とする請求項７に記載の画像処理装置。
【請求項９】
前記画像取得手段は、前記複数の撮影画像をシャッタ時間が異なる複数の撮影条件で撮像し、
前記条件判定手段は、前記複数の撮影条件の中で、最も短いシャッタ時間に対応する撮影条件か否かを判定することを特徴とする請求項８に記載の画像処理装置。
【請求項１０】
同一の被写体を含む複数の撮像画像のデータに対して施す画像処理方法であって、
前記複数の撮像画像のデータ毎に、前記被写体の動きに関する所定の条件を満たすか否かを判定する条件判定ステップと、
前記条件判定ステップの判定結果に基づいて、前記複数の撮像画像のデータの中から、画像合成を行う際に基準となる合成基準画像のデータを選択する合成基準画像選択ステップと、
前記複数の撮像画像のデータのうち、前記合成基準画像選択ステップにより選択された前記合成基準画像のデータを含む２以上の撮像画像のデータを処理対象として、当該合成基準画像を基準とするマルチプレーン加算方式に従った画像合成処理を実行することによって、合成画像のデータを生成する合成ステップと、
を含むことを特徴とする画像処理方法。
【請求項１１】
同一の被写体を含む複数の撮像画像のデータに対して施す画像処理を制御するコンピュータに、
前記複数の撮像画像のデータ毎に、前記被写体の動きに関する所定の条件を満たすか否かを判定する条件判定機能、
前記条件判定機能の判定結果に基づいて、前記複数の撮像画像のデータの中から、画像合成を行う際に基準となる合成基準画像のデータを選択する合成基準画像選択機能、
前記複数の撮像画像のデータのうち、前記合成基準画像選択機能により選択された前記合成基準画像のデータを含む２以上の撮像画像のデータを処理対象として、当該合成基準画像を基準とするマルチプレーン加算方式に従った画像合成処理を実行することによって、合成画像のデータを生成する合成機能、
を実現させることを特徴とするプログラム。
【手続補正書】
【提出日】平成26年4月7日(2014.4.7)
【手続補正１】
【補正対象書類名】明細書
【補正対象項目名】発明の名称
【補正方法】変更
【補正の内容】
【発明の名称】撮像装置、撮像方法及びプログラム
【手続補正２】
【補正対象書類名】明細書
【補正対象項目名】０００１
【補正方法】変更
【補正の内容】
【０００１】
本発明は、撮像により得られる画像に対する画像処理の速度を向上させることができる撮像装置、撮像方法及びプログラムに関する。
【手続補正３】
【補正対象書類名】明細書
【補正対象項目名】０００６
【補正方法】変更
【補正の内容】
【０００６】
上記目的を達成するため、本発明の一態様の撮像装置は、撮像素子を構成する各画素から画素データを、所定の読み出し順番で読み出すことによって、当該各画素の画素データから構成される第１撮像画像のデータを取得する第１の画像取得手段と、前記第１の画像取得手段により前記第１撮像画像のデータが取得される前に第２撮像画像のデータを取得する第２の画像取得手段と、前記第２の画像取得手段により取得された前記第２撮像画像のデータに基づいて、当該第２撮像画像の特徴領域に対応する、前記撮像素子の撮像範囲を判別する撮像範囲判別手段と、前記撮像範囲判別手段の判別結果に基づいて、前記第１の画像取得手段による前記読み出し順番を決定する決定手段と、を備えることを特徴とする。
【手続補正４】
【補正対象書類名】特許請求の範囲
【補正対象項目名】全文
【補正方法】変更
【補正の内容】
【特許請求の範囲】
【請求項１】
撮像素子を構成する各画素から画素データを、所定の読み出し順番で読み出すことによって、当該各画素の画素データから構成される第１撮像画像のデータを取得する第１の画像取得手段と、
前記第１の画像取得手段により前記第１撮像画像のデータが取得される前に第２撮像画像のデータを取得する第２の画像取得手段と、
前記第２の画像取得手段により取得された前記第２撮像画像のデータに基づいて、当該第２撮像画像の特徴領域に対応する、前記撮像素子の撮像範囲を判別する撮像範囲判別手段と、
前記撮像範囲判別手段の判別結果に基づいて、前記第１の画像取得手段による前記読み出し順番を決定する決定手段と、
を備えることを特徴とする撮像装置。
【請求項２】
前記第２撮像画像は、前記撮像素子が撮像する撮像内容を当該撮像装置の使用者が確認するために表示部に表示されるライブビュー画像であり、
前記第１撮像画像は、前記使用者による撮影指示に応じて前記撮像素子から取得される撮像画像である、
ことを特徴とする請求項１に記載の撮像装置。
【請求項３】
前記第１の画像取得手段により取得された前記各画素の画素データからなる撮像画像のデータに対して、特定画像処理を施す特定画像処理手段をさらに備え、
前記撮像範囲判別手段は、前記特定画像処理手段における特定画像処理に時間がかかる領域を前記特徴領域として、当該特徴領域に対応する前記撮像範囲を判別する、
ことを特徴とする請求項１又は２に記載の撮像装置。
【請求項４】
前記撮像範囲判別手段は、前記特定画像処理手段における特定画像処理にかかる時間を、前記第２撮像画像を構成する各画素の輝度により判別する、
ことを特徴とする請求項３に記載の撮像装置。
【請求項５】
前記撮像範囲判別手段は、前記特定画像処理手段における特定画像処理にかかる時間を、前記特定画像処理手段において行われる特殊効果の種類により判別する、
ことを特徴とする請求項３に記載の撮像装置。
【請求項６】
前記撮像素子を構成する撮像画素のうち、前記特定画像処理手段における特定画像処理で用いられる撮像画素数が所定数以上か否かを判別する画素数判別手段をさらに備え、
前記撮像範囲判別手段は、前記画素数判別手段により前記撮像画素数が所定数以上であると判別された場合には、前記撮像範囲を判別し、前記画素数判別手段により前記撮像画素数が所定数未満であると判別された場合には、前記撮像範囲の判別を禁止し、
前記決定手段は、前記撮像範囲判別手段により前記撮像範囲の判別が禁止された場合、前記撮像範囲判別手段の判別結果とは別の基準に基づいて、前記読み出し順番を決定する、
ことを特徴とする請求項３乃至５のうち何れか１項に記載の撮像装置。
【請求項７】
前記撮像素子は、ＣＭＯＳであり、前記読み出し順番はライン単位であり、
前記決定手段は、前記撮像範囲判別手段により判別される前記撮像範囲に属する横ラインが優先的に読み出されるように、前記読み出し順番を決定する、
ことを特徴とする請求項１乃至６のうち何れか１項に記載の撮像装置。
【請求項８】
撮像画像のデータを取得する撮像装置における撮像方法であって、
撮像素子を構成する各画素から画素データを、所定の読み出し順番で読み出すことによって、当該各画素の画素データから構成される第１撮像画像のデータを取得する第１の画像取得ステップと、
前記第１の画像取得ステップにより前記第１撮像画像のデータが取得される前に第２撮像画像のデータを取得する第２の画像取得ステップと、
前記第２の画像取得ステップにより取得された前記第２撮像画像のデータに基づいて、当該第２撮像画像の特徴領域に対応する、前記撮像素子の撮像範囲を判別する撮像範囲判別ステップと、
前記撮像範囲判別ステップの判別結果に基づいて、第１の画像取得ステップによる前記読み出し順番を決定する決定ステップと、
を含むことを特徴とする撮像方法。
【請求項９】
撮像画像のデータを取得する撮像装置を制御するコンピュータに、
撮像素子を構成する各画素から画素データを、所定の読み出し順番で読み出すことによって、当該各画素の画素データから構成される第１撮像画像のデータを取得する第１の画像取得機能、
前記第１の画像取得機能により前記第１撮像画像のデータが取得される前に第２撮像画像のデータを取得する第２の画像取得機能、
前記第２の画像取得機能により取得された前記第２撮像画像のデータに基づいて、当該第２撮像画像の特徴領域に対応する、前記撮像素子の撮像範囲を判別する撮像範囲判別機能、
前記撮像範囲判別機能の判別結果に基づいて、第１の画像取得機能による前記読み出し順番を決定する決定機能、
を実現させることを特徴とするプログラム。
【手続補正書】
【提出日】平成26年4月25日(2014.4.25)
【手続補正１】
【補正対象書類名】明細書
【補正対象項目名】００１４
【補正方法】変更
【補正の内容】
【００１４】
上記目的を達成するために、請求項１の撮像装置は、被写体を撮像する撮像装置であって、撮像により得られた被写体を示す画像信号を取得する画像信号取得手段と、前記画像信号取得手段により取得された画像信号から、前記撮像装置と被写体との距離を示す距離情報を取得する距離情報取得手段と、前記距離情報取得手段により取得された距離情報に基づいて、前記画像信号が示す画像を複数の領域に分割する分割手段と、前記分割手段により分割された領域ごとに輝度値を補正する補正手段とを備えたことを特徴とする。
【手続補正２】
【補正対象書類名】特許請求の範囲
【補正対象項目名】全文
【補正方法】変更
【補正の内容】
【特許請求の範囲】
【請求項１】
被写体を撮像する撮像装置であって、
撮像により得られた被写体を示す画像信号を取得する画像信号取得手段と、
前記画像信号取得手段により取得された画像信号から、前記撮像装置と被写体との距離を示す距離情報を取得する距離情報取得手段と、
前記距離情報取得手段により取得された距離情報に基づいて、前記画像信号が示す画像を複数の領域に分割する分割手段と、
前記分割手段により分割された領域ごとに輝度値を補正する補正手段と
を備えたことを特徴とする撮像装置。
【請求項２】
前記補正手段は、前記画像信号から得られる前記領域ごとの輝度値に応じて、前記領域ごとの輝度値が予め定められた輝度値となるように、前記領域ごとに輝度値を補正することを特徴とする請求項１記載の撮像装置。
【請求項３】
前記補正手段は、前記被写体を複数回撮像することにより得られた複数の画像信号を、前記領域ごとの輝度値が前記予め定められた輝度値となるように組み合わせて合成することにより、前記領域ごとに輝度値を補正することを特徴とする請求項２記載の撮像装置。
【請求項４】
前記補正手段は、被写体ぶれを抑制する場合には、前記複数回撮像することにより得られた複数の画像信号のうちの１つの画像信号を複数組み合わせて合成することにより、前記領域ごとに輝度値を補正することを特徴とする請求項３記載の撮像装置。
【請求項５】
前記補正手段は、前記領域ごとの露光時間を、前記領域ごとの輝度値が前記予め定められた輝度値となるように変更することにより、前記領域ごとに輝度値を補正することを特徴とする請求項２記載の撮像装置。
【請求項６】
被写体を撮像する撮像装置の制御方法であって、
撮像により得られた被写体を示す画像信号を取得する画像信号取得ステップと、
前記画像信号取得ステップにより取得された画像信号から、前記撮像装置と被写体との距離を示す距離情報を取得する距離情報取得ステップと、
前記距離情報取得ステップにより取得された距離情報に基づいて、前記画像信号が示す画像を複数の領域に分割する分割ステップと、
前記分割ステップにより分割された領域ごとに輝度値を補正する補正ステップと
を備えたことを特徴とする制御方法。
【請求項７】
被写体を撮像する撮像装置の制御方法をコンピュータに実行させるためのプログラムであって、
前記制御方法は、
撮像により得られた被写体を示す画像信号を取得する画像信号取得ステップと、
前記画像信号取得ステップにより取得された画像信号から、前記撮像装置と被写体との距離を示す距離情報を取得する距離情報取得ステップと、
前記距離情報取得ステップにより取得された距離情報に基づいて、前記画像信号が示す画像を複数の領域に分割する分割ステップと、
前記分割ステップにより分割された領域ごとに輝度値を補正する補正ステップと
を備えたことを特徴とするプログラム。
【手続補正書】
【提出日】平成26年5月12日(2014.5.12)
【手続補正１】
【補正対象書類名】特許請求の範囲
【補正対象項目名】全文
【補正方法】変更
【補正の内容】
【特許請求の範囲】
【請求項１】
ニンニク抽出水溶液からニンニクの成分を分離濃縮することを特徴とする、ニンニク抽出水溶液の有効利用方法。
【請求項２】
ニンニク抽出水溶液として、ニンニクに加水して固形分を取り除いたニンニク抽出水溶液であって乾燥ニンニクを水戻した時の廃液、塩蔵ニンニクを水で脱塩した廃液、生ニンニクの水洗浄もしくは脱水廃液であるニンニク抽出水溶液またはこれらと同じ操作で得られるニンニク抽出液を利用することを特徴とする、請求項１に記載の方法。
【請求項３】
ニンニク抽出水溶液の内、ニンニク原料を加熱処理した後に加水するか、または熱水処理によって得られるニンニク抽出水溶液からアリインを分離濃縮することを特徴とする、請求項２に記載の方法。
【請求項４】
請求項２に記載されたニンニク抽出水溶液から食用油を溶媒として用いて油溶成分を含む油性画分を分離し、この油性画分を溶媒として用いてニンニク抽出水溶液に対して同じ操作を繰り返し行うことによって、油溶成分の濃度を高めることを特徴とする方法。
【請求項５】
請求項４で得られた油溶成分を含む油性画分を分離した後に残った水溶液について、加熱処理または加熱減圧処理、または膜処理によって濃縮することを特徴とする方法。
【請求項６】
請求項２または３に記載されたニンニク抽出水溶液について、膜処理によってニンニク成分を分離することを特徴とする方法。
【請求項７】
請求項６において分子量約1,000以上の高分子画分を分離し、得られた高分子画分について加熱処理または加熱減圧処理、または膜処理によって濃縮することを特徴とする方法。
【請求項８】
請求項６で分子量約1,000未満の低分子画分を分離し、得られた低分子画分について更に膜処理によって濃縮することを特徴とする方法。
【請求項９】
請求項８で濃縮した水溶液について、加熱処理または水蒸気蒸留処理によって各スルフィド化合物の混合液へ変化させる工程を更に組み合わせることを特徴とする方法。
【請求項１０】
請求項８または９で得られた水溶液について、食用油抽出によってスルフィド化合物を含む成分を抽出する工程を組み合わせることを特徴とする方法。
【請求項１１】
請求項１０で残った水溶液を単独でまたは請求項７で最終的に得られた高分子画分と混合してニンニク成分濃縮物とすることを特徴とする方法。
【請求項１２】
請求項７で最終的に得られた高分子画分について、乾燥植物または乾燥海草類と混合して同時に乾燥し粉末化することを特徴とする方法。
【請求項１３】
請求項２に記載されたニンニク抽出水溶液から遠心分離により得た沈殿物について、乾燥し粉末化することを特徴とする方法。
【請求項１４】
請求項１０で得られたスルフィド化合物含有油をカプセル化または錠剤化することを特徴とする方法。
【請求項１５】
請求項１２または１３で得られた粉末を単独、または混合してカプセル化または錠剤化することを特徴とする方法。
【請求項１６】
ニンニク抽出水溶液のニンニク原料として乾燥ニンニクを使用することを特徴とする、請求項２〜１５のいずれかに記載の方法。
【請求項１７】
請求項１〜１６のいずれか１項に記載された方法によって得られる、ニンニク成分濃縮物もしくはニンニクエキス。
【請求項１８】
請求項１〜１６のいずれか１項に記載された方法によって得られるニンニク成分濃縮物もしくはニンニクエキスを含有する、香料。
【請求項１９】
請求項１〜１６のいずれか１項に記載された方法によって得られるニンニク成分濃縮物もしくはニンニクエキスを含有する、食品もしくは健康食品。
【手続補正書】
【提出日】平成25年11月27日(2013.11.27)
【手続補正１】
【補正対象書類名】特許請求の範囲
【補正対象項目名】全文
【補正方法】変更
【補正の内容】
【特許請求の範囲】
【請求項１】
役の抽選を行う抽選手段と、
前記役の抽選結果に基づいて所定演出を実行するか否かを決定する第１決定手段と、
前記役の抽選結果に関わる抽選結果情報を出力する抽選結果情報出力手段と
を備えた第１制御手段と、
前記抽選結果情報が入力されたことに基づいて複数の遊技回にわたって実行可能な連続演出を開始するか否かを決定する第２決定手段を備えた第２制御手段と
を備えた遊技機において、
前記第２決定手段を、前記役の抽選結果が所定結果となった場合に前記連続演出を開始すると決定し得る構成とし、
前記第２制御手段は、
前記連続演出が開始されてから予め定めた特定回数の遊技が行われるまでに前記連続演出を終了させると決定する終了決定手段を備え、
前記第１制御手段は、
前記役の抽選結果が前記所定結果となった場合、前記役の抽選結果が前記所定結果となった遊技回から前記特定回数の遊技が行われるまで所定情報を記憶する所定情報記憶手段を備え、
前記第１決定手段は、
前記所定情報に基づいて前記連続演出を実行中であるか否かを判定し、前記連続演出を実行中であると判定した場合、前記所定演出を実行しないと決定することを特徴とする遊技機。
【請求項２】
前記第１制御手段は、前記所定演出の実行有無に関わる演出実行情報を出力する演出実行情報出力手段を備え、前記第２制御手段は、前記所定演出を実行することを示す演出実行情報が入力された遊技回において前記連続演出を実行する場合、前記所定演出の終了後に前記連続演出を実行することを特徴とする請求項１に記載の遊技機。
【手続補正書】
【提出日】平成26年5月26日(2014.5.26)
【手続補正１】
【補正対象書類名】特許請求の範囲
【補正対象項目名】全文
【補正方法】変更
【補正の内容】
【特許請求の範囲】
【請求項１】
被検眼の検査を行うための検査手段と、
被検眼前眼部と略共役な位置に配置された撮像面を持つ撮像素子を有し、被検眼眼底に光を投光し、その眼底反射光によって照明された徹照像を撮像する撮像光学系と、
該撮像光学系により撮像された撮像画像を記憶する記憶手段と、
前記記憶手段に記憶された前記撮像画像から徹照像を含む所定範囲の画像を抽出する画像処理手段と、
前記画像処理手段により抽出された画像を出力する出力手段と、
を備えることを特徴とする眼科装置。
【請求項２】
請求項１の眼科装置において、
前記画像処理手段は、瞳孔の外縁部を含む画像領域を抽出し、
前記出力手段は、抽出された画像を用紙に印刷する印刷手段であって、抽出された画像における瞳孔の外縁部が用紙上の印刷可能範囲に収まるように印刷を行うことを特徴とする眼科装置。
【請求項３】
請求項１の眼科装置において、
前記画像処理手段は、前記撮像画像の輝度値を上昇させた印刷用画像を取得し、
前記出力手段は、前記印刷用画像を用紙に印刷する印刷手段であることを特徴とする眼科装置。
【手続補正２】
【補正対象書類名】明細書
【補正対象項目名】０００８
【補正方法】変更
【補正の内容】
【０００８】
（１）  被検眼の検査を行うための検査手段と、被検眼前眼部と略共役な位置に配置された撮像面を持つ撮像素子を有し、被検眼眼底に光を投光し、その眼底反射光によって照明された徹照像を撮像する撮像光学系と、該撮像光学系により撮像された撮像画像を記憶する記憶手段と、前記記憶手段に記憶された前記撮像画像から徹照像を含む所定範囲の画像を抽出する画像処理手段と、前記画像処理手段により抽出された画像を出力する出力手段と、を備えることを特徴とする。
（２）  （１）の眼科装置において、前記画像処理手段は、瞳孔の外縁部を含む画像領域を抽出し、前記出力手段は、抽出された画像を用紙に印刷する印刷手段であって、抽出された画像における瞳孔の外縁部が用紙上の印刷可能範囲に収まるように印刷を行うことを特徴とする。
（３）  （１）の眼科装置において、前記画像処理手段は、前記撮像画像の輝度値を上昇させた印刷用画像を取得し、前記出力手段は、前記印刷用画像を用紙に印刷する印刷手段であることを特徴とする。
【手続補正書】
【提出日】平成26年11月5日(2014.11.5)
【手続補正１】
【補正対象書類名】特許請求の範囲
【補正対象項目名】全文
【補正方法】変更
【補正の内容】
【特許請求の範囲】
【請求項１】
Ｘ線コンピュータトモグラフィ（ＣＴ）システム（１０）であって、
回転ガントリ（１２）と、
Ｘ線ビームを生成するため前記ガントリに結合されたＸ線源（１４）と、
前記Ｘ線ビームを検出するため前記ガントリに結合されたＸ線検出器（１８）と、
前記Ｘ線源に結合され且つ該Ｘ線源によって生成されるＸ線ビームの集束を調整するよう構成された調整可能コリメータ（２４）と、
関心領域（ＲＯＩ）上の集束を調整するよう前記コリメータを制御し、更に走査中に前記Ｘ線源によって生成されるＸ線ビームのビーム強度を制御するよう構成されたコントローラ（３４）と、
患者（２２）をその上に支持する患者用テーブル（５０）と、
を備え、
前記コントローラ（３４）は、前記Ｘ線源（１４）が前記関心領域（ＲＯＩ）に近接しているときに前記ビーム強度を低減し、前記Ｘ線源が前記関心領域（ＲＯＩ）から離れているときには前記ビーム強度を増大させるよう構成されている、
Ｘ線ＣＴシステム（１０）。
【請求項２】
前記コントローラ（３４）が、リアルタイムで前記調整可能コリメータ（２４）を動的に調整するよう構成されている、請求項１に記載のＸ線ＣＴシステム（１０）。
【請求項３】
前記調整可能コリメータ（２４）が、前記Ｘ線源からのＸ線がそこを通って伝送される開口を調整して、画像スキャン中に集束を変更するよう構成された移動可能コリメーションプレート（６４）を含む、請求項１または２に記載のＸ線ＣＴシステム（１０）。
【請求項４】
前記コリメーションプレート（６４）が独立して調整可能である、請求項３に記載のＸ線ＣＴシステム（１０）。
【請求項５】
前記コントローラ（３４）が、前記Ｘ線源の管電流又は管電圧のうちの１つを調整するよう構成されている、請求項１乃至４のいずれかに記載のＸ線ＣＴシステム（１０）。
【請求項６】
前記コントローラ（３４）が、前記回転ガントリ（１２）の角度方向に基づいて集束又はビーム強度を調整するよう構成されている、請求項１乃至５のいずれかに記載のＸ線ＣＴシステム（１０）。
【請求項７】
前記関心領域（ＲＯＩ）が乳房（６２）の領域を含む、請求項１乃至６のいずれかに記載のＸ線ＣＴシステム（１０）。
【請求項８】
前記ＲＯＩが乳房（６２）であり、患者（２２）をその上に支持する患者用テーブル（５０）を更に備え、前記コントローラ（３４）は、
（ｉ）複数の組織が乳房と前記Ｘ線源（１４）との間にあるときに前記Ｘ線ビームへの前記ＲＯＩの曝露を低減又は中断し、
（ｉｉ）乳房と前記Ｘ線源（１４）との間に組織がないか、又は少量の組織が存在するときに前記Ｘ線ビームに乳房を曝露する、
ように構成されている、請求項１乃至７のいずれかに記載のＸ線ＣＴシステム（１０）。
【請求項９】
前記ＲＯＩが高感度器官領域であり、前記コントローラ（３４）は更に、該高感度器官領域へのＸ線からの放射線量を最小限にするよう構成されている、請求項１乃至８のいずれかに記載のＸ線ＣＴシステム（１０）。
【請求項１０】
回転コンピュータトモグラフィ（ＣＴ）イメージングシステムの作動を制御して、器官特異的イメージングを実施する方法（９０）であって、
前記ＣＴイメージングシステムのボア内で患者の向きを識別する段階（９２）と、
前記ＣＴイメージングシステムの少なくとも１つのＸ線源及びＸ線検出器を支持するガントリの角度を決定する段階（９４）と、
前記ＣＴイメージングシステムを用いた走査中に、前記ガントリの角度方向に基づいて、前記少なくとも１つのＸ線源の関心領域（ＲＯＩ）への集束及び前記少なくとも１つのＸ線源によって生成されたビーム強度を調整する段階（９６、９８）と、
前記少なくとも１つのＸ線源が前記関心領域（ＲＯＩ）に近接しているときに前記ビーム強度を低減する段階と、
前記少なくとも１つのＸ線源が前記関心領域（ＲＯＩ）から離れているときに前記ビーム強度を増大させる段階と、
を含む方法（９０）。
【手続補正書】
【提出日】平成25年11月19日(2013.11.19)
【手続補正１】
【補正対象書類名】特許請求の範囲
【補正対象項目名】全文
【補正方法】変更
【補正の内容】
【特許請求の範囲】
【請求項１】
入力された交流電力を直流電力に変換し、直流電力を出力する交流電力−直流電力変換部と、
前記交流電力−直流電力変換部から出力された前記直流電力を出力する主出力端子と、
前記主出力端子と異なり、前記交流電力−直流電力変換部から出力された前記直流電力を出力する複数の副出力端子と、
前記交流電力−直流電力変換部から出力される総電力量を検出する検出部と、
前記総電力量を前記主出力端子の出力定格と比較して、前記総電力量が前記主出力端子の出力定格以上であるとき、前記複数の副出力端子のうち少なくとも一つの副出力端子からの電力の出力を遮断する制御部と
を備える、ＡＣアダプター装置。
【請求項２】
前記複数の副出力端子は、各前記副出力端子に優先順位が決められており、前記優先順位に基づいて前記副出力端子を順番に遮断する、請求項１に記載のＡＣアダプター装置。
【請求項３】
前記優先順位は、ユーザによって設定される、請求項２に記載のＡＣアダプター装置。
【請求項４】
前記複数の副出力端子のうちの少なくとも１つはＵＳＢ端子である、請求項１に記載のＡＣアダプター装置。
【請求項５】
前記複数の副出力端子の出力定格の大きい順に、前記副出力端子を順番に遮断する、請求項２に記載のＡＣアダプター装置。
【請求項６】
前記主出力端子の出力が所定値以下に減少した場合に、電力の出力が遮断された前記副出力端子からの電力の出力を復帰させる、請求項１に記載のＡＣアダプター装置。
【請求項７】
前記総電力量が前記主出力端子の出力定格を超える超過量に基づいて、前記副出力端子を選択的に遮断する、請求項１に記載のＡＣアダプター装置。
【請求項８】
前記制御部は、複数の前記副出力端子を同時に遮断する、請求項１に記載のＡＣアダプター装置。
【請求項９】
前記交流電力−直流電力変換部の総出力能力は、前記主出力端子の出力定格に基づいて決定されている、請求項１〜８のいずれか１項に記載のＡＣアダプター装置。
【手続補正２】
【補正対象書類名】明細書
【補正対象項目名】００１３
【補正方法】変更
【補正の内容】
【００１３】
上記総電力量が主出力端子の出力定格を超える超過量に基づいて、副出力端子を選択的に遮断してもよい。
【手続補正３】
【補正対象書類名】明細書
【補正対象項目名】００１４
【補正方法】変更
【補正の内容】
【００１４】
上記制御部は、複数の上記副出力端子を同時に遮断してもよい。